(57)【要約】      （修正有）【課題】工事現場での写真撮影に用いる使いやすい柄付きボードを提供する。【解決手段】柄付きボード２は、表示プレート４、Ｔ字部材６、マグネット、柄１０及び尻栓１２を備えている。表示プレート４は、その表側に表示部１４を備えている。表示プレート４はさらに、その表側に、一対のブラケット１６を備えている。これらブラケット１６により、表示プレート４にＴ字部材６が、揺動可能に取り付けられている。Ｔ字部材６は、筒部２４と枝部２６とを備えている。この枝部２６に、柄１０の先端が差し込まれている。柄１０は、伸縮自在である。この柄１０の後端は、尻栓１２に圧入されている。尻栓１２は、大径部５６と小径部５８とを備えている。小径部５８は、筒状である。小径部５８の内周面には、三脚のカメラスクリューが螺入されうるように、雌ネジが螺刻されている。【選択図】図１
0003173739.tif 000002
【実用新案登録請求の範囲】
【請求項１】
柄と、この柄に取り付けられた表示プレートと、三脚のカメラスクリューが螺入されうる三脚穴とを備えた柄付きボード。
【請求項２】
上記表示プレートが上記柄の先端側に取り付けられており、上記三脚穴が上記柄の後端側に位置している請求項１に記載の柄付きボード。
【請求項３】
マグネットをさらに備えた請求項１又は２に記載の柄付きボード。
【請求項４】
上記マグネットが、上記表示プレートの裏側に固定されている請求項３に記載の柄付きボード。
【考案の詳細な説明】
【技術分野】
【０００１】
本考案は、工事現場等でのカメラ撮影に用いられる柄付きボードに関する。
【背景技術】
【０００２】
工事現場では、工事の状況の記録の目的で、カメラで写真が撮影される。このとき、工事現場を背景としつつ、黒板又はホワイトボードが撮影される。黒板又はホワイトボードには、工事名、場所、日付等が記載される。撮影には、黒板又はホワイトボードを保持する者と、カメラのシャッターを押す者との、２名の作業者が必要である。
【０００３】
実用新案登録第３１３８４８６号公報には、１名の作業者で工事現場の撮影がなされうるボードが開示されている。このボードは、伸縮可能な柄と、表示プレートとを備えている。表示プレートには、工事名、場所、日付等が記載される。作業者は、所定長さに設定された柄を一方の手で把持し、他方の手でカメラのシャッターを押す。
【先行技術文献】
【特許文献】
【０００４】
【特許文献１】実用新案登録第３１３８４８６号公報
【考案の概要】
【考案が解決しようとする課題】
【０００５】
作業者は、柄付きボードの使いやすさのさらなる向上を望んでいる。本考案の目的は、使いやすい柄付きボードの提供にある。
【課題を解決するための手段】
【０００６】
本考案に係る柄付きボードは、柄と、この柄に取り付けられた表示プレートと、三脚のカメラスクリューが螺入されうる三脚穴とを備える。表示プレートは、柄の先端側に取り付けられうる。三脚穴は、柄の後端側に位置しうる。
【０００７】
好ましくは、この柄付きボードは、マグネットをさらに備える。このマグネットは、表示プレートの裏側に固定されうる。
【考案の効果】
【０００８】
本考案に係る柄付きボードは、作業者が柄を把持した状態で使用されうる。この柄付きボードはさらに、三脚に取り付けられた状態で使用されうる。この柄付きボードは、使い勝手に優れる。
【図面の簡単な説明】
【０００９】
【図１】図１は、本考案の一実施形態に係る柄付きボードが示された正面図である。
【図２】図２は、図１の柄付きボードが壁と共に示された側面図である。
【図３】図３は、図１の柄付きボードの一部が示された分解断面図である。
【図４】図４は、図１の柄付きボードの一部が示された拡大断面図である。
【図５】図５は、図１の柄付きボードの一部が示された拡大断面図である。
【図６】図６は、図１の柄付きボードの使用の様子が示された斜視図である。
【図７】図７は、図１の柄付きボードが三脚と共に示された正面図である。
【考案を実施するための形態】
【００１０】
以下、適宜図面が参照されつつ、好ましい実施形態に基づいて本考案が詳細に説明される。
【００１１】
図１及び２に示された柄付きボード２は、表示プレート４、Ｔ字部材６、マグネット８、柄１０及び尻栓１２を備えている。
【００１２】
表示プレート４は、その表側に表示部１４を備えている。この表示部１４には、工事名、工事の場所、撮影の日付等が記載される。記載には、チョーク、ホワイトボードマーカー等が用いられる。チョークが用いられる場合、表示部１４の表面に、黒板と同様の微細凹凸加工がなされる。ホワイトボードマーカーが用いられる場合、表示部１４には、このホワイトボードマーカーのインクが含浸しないような加工がなされる。
【００１３】
表示プレート４は、その表側に、一対のブラケット１６を備えている。それぞれのブラケット１６は、表示部１４に対して垂直な方向に突出している。このブラケット１６は、孔１８（図３参照）を備えている。表示プレート４はさらに、その上側縁部に、突出部２０を備えている。この突出部２０も、孔２２（図４参照）を備えている。
【００１４】
図３に示されるように、Ｔ字部材６は、筒部２４と枝部２６とを備えている。筒部２４と枝部２６とは、一体的に成形されている。筒部２４は、貫通孔２８を備えている。枝部２６は、筒部２４の中央から、この筒部２４の軸方向に対して垂直な方向に延びている。枝部２６は、その端３０から穿設された穴３２を備えている。Ｔ字部材６の典型的な材質は、硬質合成樹脂である。
【００１５】
一方のブラケット１６の孔１８、Ｔ字部材６の貫通孔２８及び他方のブラケット１６の孔１８には、ボルト３４が通されている。このボルト３４の先端３６は、袋ナット３８に螺入されている。このボルト３４及び袋ナット３８により、表示プレート４にＴ字部材６が取り付けられている。Ｔ字部材６は、ボルト３４を軸として、表示プレート４に対して揺動しうる。
【００１６】
マグネット８は、リング状である。図４に示されるように、マグネット８は凹み４０及び孔４２を備えている。この孔４２及び突出部２０の孔２２には、ボルト４４が通されている。このボルト４４は、袋ナット４６に螺入されている。このボルト４４及び袋ナット４６により、マグネット８が表示プレート４に取り付けられている。マグネット８は、表示プレート４の裏側に固定されている。
【００１７】
図１及び２に示されるように、柄１０は、第一節４８、第二節５０、第三節５２及び第四節５４からなる。第一節４８は第二節５０に入れ子式に挿入されており、第二節５０は第三節５２に入れ子式に挿入されており、第三節５２は第四節５４に入れ子式に挿入されている。この柄１０は、伸縮自在である。柄１０の先端は、Ｔ字部材６の穴３２（図３参照）に差し込まれている。柄１０の先端は、Ｔ字部材６に接合されている。典型的には、柄１０の材質は、スチール又はステンレススチールである。節の数が３以下でもよい。節の数が５以上でもよい。柄付きボードが、伸縮不可能な柄を備えてもよい。
【００１８】
前述の通り、Ｔ字部材６は、ボルト３４を軸として表示プレート４に対して揺動しうる。従って、このＴ字部材６と共に、柄１０も、ボルト３４を軸として表示プレート４に対して揺動しうる。表示プレート４に対する柄１０の角度は、任意に設定されうる。
【００１９】
図５に示されるように、尻栓１２は大径部５６と小径部５８とを備えている。大径部５６は、筒状である。この大径部５６に柄１０の後端が圧入されている。この圧入により、尻栓１２が柄１０に固定されている。小径部５８も、筒状である。小径部５８は、三脚穴５９を備えている。この三脚穴５９の内周面には、雌ネジ６０が螺刻されている。三脚穴５９の内径は、カメラ用三脚のカメラスクリューの外径に対応している。雌ネジ６０のピッチは、このカメラスクリューの雄ネジのピッチに対応している。
【００２０】
図６は、図１の柄付きボード２の使用状態が示された説明図である。この柄付きボード２が使用されるには、まず、作業者６２によって表示部１４に必要事項が記入される。作業者６２は、表示プレート４と柄１０との角度、及び柄１０の長さを調整する。作業者６２は、一方の手で柄１０の後端近傍を把持しつつ、他方の手でカメラ６４のシャッターボタンを押す。これにより、表示部１４に記載された文字と、工事現場の背景とが、同時に撮影されうる。
【００２１】
図７は、図１の柄付きボード２の他の使用状態が示された説明図である。この柄付きボード２が使用されるには、まず、作業者によって表示部１４に必要事項が記入される。作業者は、三脚６６のカメラスクリュー（図示されず）を、尻栓１２の小径部５８に螺入する。これにより、三脚６６が柄付きボード２を支持する。柄付きボード２は、三脚６６の上に起立する。図７に示された状態では、作業者の両手がフリーである。作業者は、両手を使って、表示部１４をカメラで撮影できる。
【００２２】
工事現場に、鋼等の磁着性材料からなる壁６８等がある場合、図２に示されるように、マグネット８の磁力によって柄付きボード２がこの壁６８に磁着させられ得る。この状態では、作業者の両手がフリーである。作業者は、両手を使って、表示部１４（図１参照）をカメラで撮影できる。
【００２３】
袋ナット３８が緩められ、ボルト３４が貫通孔２８から抜かれることにより、柄付きボード２が分解されうる。分解後の柄付きボード２は、コンパクトである。この柄付きボード２は、携帯性に優れる。
【００２４】
表示プレート４の裏側に、ホワイトボードマーカーを固定するためのホルダーが設けられてもよい。
【産業上の利用可能性】
【００２５】
本考案に係る柄付きボードは、例えば建物検査のような、種々の場面における撮影に用いられうる。
【符号の説明】
【００２６】
２・・・柄付きボード
４・・・表示プレート
６・・・Ｔ字部材
８・・・マグネット
１０・・・柄
１２・・・尻栓
１４・・・表示部
１６・・・ブラケット
２０・・・突出部
２２・・・
２４・・・筒部
２６・・・枝部
３４、４４・・・ボルト
３８、４６・・・袋ナット
４８・・・第一節
５０・・・第二節
５２・・・第三節
５４・・・第四節
５６・・・大径部
５８・・・小径部
５９・・・三脚穴
【図１】
0003173739.tif 000003
【図２】
0003173739.tif 000004
【図３】
0003173739.tif 000005
【図４】
0003173739.tif 000006
【図５】
0003173739.tif 000007
【図６】
0003173739.tif 000008
【図７】
0003173739.tif 000009